(57)【要約】【課題】本発明は眼鏡ノーズに関するもので、金属材の柱はフック固定部の後方に支持部が設けられ、プラスチック材のフックは、射出成形過程で前記金属材の柱の一部が内部にインサートされ、金属材の柱と一体に作製されて眼鏡フレームに簡単に分解したり結合したりできるので、眼鏡着用者の顔の構造、鼻部位の形や好みに合わせて支持部をフィットすることができる。【解決手段】フック固定部の後方に支持部が設けられる金属材の柱と、前記金属材の柱の一部が射出成形過程で内部にインサートされ、前記金属材の柱と一体的に作製されるプラスチック材のフックと、を有し、前記プラスチック材のフックの前方に弾性固定部が設けられ、前記プラスチック材のフックの後方に挿入支持部が設けられたことを特徴とする。【選択図】図１
2015203722.tif 000002
【特許請求の範囲】
【請求項１】
フック固定部の後方に支持部が設けられる金属材の柱と、
前記金属材の柱の一部が射出成形過程で内部にインサートされ、前記金属材の柱と一体的に作製されるプラスチック材のフックと、を有し、
前記プラスチック材のフックの前方に弾性固定部が設けられ、
前記プラスチック材のフックの後方に挿入支持部が設けられたことを特徴とする金属材の柱とプラスチック材の挿入固定体が一体に成形された眼鏡のノーズ柱。
【請求項２】
前記金属材の柱は、金属板をプレスで打ち抜きして取った後、折り曲げて作製され、人為的な力を加えて強制的に変形させた場合、変形状態がそのまま保持されるとともに弱い外部荷重に対して弾性復元力を持つことを特徴とする請求項１に記載の金属材の柱とプラスチック材の挿入固定体が一体に成形された眼鏡のノーズ柱。
【請求項３】
前記金属材の柱は、フック固定部の後端から下部方向に支持部が折り曲げ形成された形態であることを特徴とする請求項２に記載の金属材の柱とプラスチック材の挿入固定体が一体に成形された眼鏡のノーズ柱。
【請求項４】
前記金属材の柱は、支持部の下端部にシリコン材のパッドを固設できるパッド接続孔が設けられたことを特徴とする請求項３に記載の金属材の柱とプラスチック材の挿入固定体が一体に成形された眼鏡のノーズ柱。
【請求項５】
前記金属材の柱において、プラスチック材のフックの内部にインサートされる部分はフック固定部の前方部分であることを特徴とする請求項４に記載の金属材の柱とプラスチック材の挿入固定体が一体に成形された眼鏡のノーズ柱。
【請求項６】
前記プラスチック材のフックの弾性固定部は、両側が面取りされた円柱の形で、先端の中央に横方向に切欠溝が設けられ、先端の直径は大きく後端の直径は小さいテーパーを有する密着部が前方に設けられ、両側面の後方中央に回転防止リブが設けられ、
前記弾性固定部の後方に設けられる挿入支持部１２２は弾性固定部の後端直径部よりも大きい直径の円柱状であることを特徴とする請求項１に記載の金属材の柱とプラスチック材の挿入固定体が一体に成形された眼鏡のノーズ柱。
【発明の詳細な説明】
【技術分野】
【０００１】
本発明は、眼鏡ノーズに関し、より詳細には、プラスチック材の眼鏡フレームに分解可能に設けられ、眼鏡フレーム固定部の後方に一つの支持部が設けられることに関する。
【背景技術】
【０００２】
近年、コンピュータと携帯電話の使用が多くなるにつれて、視力が低下する人が増え、眼鏡を着用する人も多くなっている。また、個性のあるファッションを演出のために眼鏡を着用する人も増えてきている。
眼鏡を使用する途中、一部の破損が生ずると、新しく購入するか、または修理をしなければならなくなる。
【０００３】
ところが、近年のような低所得高物価時代に、眼鏡のスピーディーな便宜を求める人々の要望に合わせて、眼鏡が破損した時に新しく購入することなく、部品の入れ替えによって安価で且つスピーディーに解決しようとするのが実情である。
【０００４】
一般的に、眼鏡ノーズは、眼鏡フレームのレンズ支持部の内側後方に設けられて眼鏡着用者の鼻の両方部位に接触されるようにすることで、眼鏡のかけ心地を向上させることができる。
【０００５】
眼鏡ノーズは、眼鏡フレーム固定部の両側後方にそれぞれの支持部が設けられたものもあるが、眼鏡フレーム固定部の後方に一つの支持部が設けられたものもある。
【０００６】
一対の支持部を持つものは眼鏡フレームの一対のレンズ支持部間に一つのみが設けられ、一つの支持部を持つものは各レンズ支持部の内側にそれぞれ設けられる。
【０００７】
眼鏡ノーズは、眼鏡フレームの材質やデザインによって様々な形態のものが使用される。例えば、金属ワイヤー型の眼鏡フレームであるなら、金属ワイヤー型の眼鏡ノーズが眼鏡フレームに溶接されて設けられ、別途のプラスチック材の眼鏡ノーズが固設されることもある。
【０００８】
また、プラスチック材の眼鏡フレームであるなら、プラスチック材の眼鏡ノーズが眼鏡フレームと一体に射出成形されることもあり、別途のプラスチック材の眼鏡ノーズが眼鏡フレームに分解可能に取り付けられることもある。
【０００９】
本発明は、特にプラスチック材の眼鏡フレームに分解可能に設けられ、眼鏡フレーム固定部の後方に一つの支持部が設けられる眼鏡ノーズに関するものである。
【００１０】
下記の特許文献１には眼鏡ノーズ台が開示されており、下記の特許文献２にはワンタッチ型眼鏡ノーズが開示されている。
【００１１】
特許文献１の眼鏡ノーズ台は、眼鏡フレームの結合部に結合される結合ヘッド部と、結合ヘッド部と着脱可能に連結されている支持脚部と、結合ヘッド部に対して支持脚部が相対回転するよう結合ヘッド部と支持脚部に設けられる相対回転結合部を有する。
【００１２】
特許文献２のワンタッチ型眼鏡ノーズは、両側に切開される係止部を備える結合具、及び結合具上に一体に形成され、先端の挿設溝上に鼻パッドを備える鼻脚を有する。
【００１３】
特許文献１に開示された眼鏡のノーズ台と特許文献２に開示されたワンタッチ型眼鏡ノーズとも、本発明に係る眼鏡ノーズと同様にプラスチック材の眼鏡フレームに分解可能に設けられ、眼鏡フレーム固定部の後方に一つの支持部が設けられる。
【先行技術文献】
【特許文献】
【００１４】
【特許文献１】大韓民国登録特許第１０−１１５６０６８号公報
【特許文献２】大韓民国公開特許第１０−２０１０−００９１７５６号公報
【発明の概要】
【発明が解決しようとする課題】
【００１５】
従来技術による眼鏡ノーズは、眼鏡のフロント中心部から眼鏡ノーズを締り嵌めにて挿入した後、溶接工程を経て組み立てたので、ノーズの溶接不良に因る不良率が高い。
【００１６】
また、眼鏡フレームからの着脱が不可能になるので、破損時に修理が不可能な問題もあった。そして、特許文献１に開示された眼鏡ノーズ台と特許文献２に開示されたワンタッチ型眼鏡ノーズの場合、固定部はもちろん支持部をも全てプラスチック材で成されている。従って、着用者の顔の構造に合うようフィット（ＦＩＴ）することができないという問題がある。
【００１７】
また、特許文献１、２に開示された眼鏡ノーズは、固定部と眼鏡フレームとの組み立て及び分解が割りとスムーズに行われなくなるという問題があった。
【００１８】
本発明の目的は、上述した問題点を解決するためのものであって、眼鏡フレームに、より堅固且つ容易に組み立てられるようにし、眼鏡フレームから簡単に取り外し可能にする眼鏡ノーズを提供するところにある。
本発明の他の目的は、眼鏡着用者の鼻部位の形や好み、顔の構造に合わせて支持部をフィットできるようにする眼鏡ノーズを提供するところにある。
【課題を解決するための手段】
【００１９】
上記の目的を達成するために、本発明に係る眼鏡ノーズは、金属材の柱とプラスチック材のフックを有し、金属材の柱はフック固定部の後方に支持部が設けられ、プラスチック材のフックは射出成形過程において前記金属材の柱の一部が内部にインサートされて金属材の柱と一体に作製されたことを特徴とする。
【００２０】
本発明に係る眼鏡ノーズにおける金属材の柱は、金属板をプレスで打ち抜きして取った後、折り曲げて作製することができる。
また、人為的な力を加えて強制的に変形させた場合、変形状態がそのまま保持されるとともに、弱い外部荷重に対して弾性復元力を持つようにすることが好ましい。
【００２１】
本発明に係る眼鏡ノーズにおける金属材の柱は、フック固定部の後端から下部方向に支持部が折り曲げて形成された形態で構成される。
また、支持部の下端部にシリコン材のパッドを固設できるようにするパッド接続孔が設けられた形態で構成される。
【００２２】
本発明に係る眼鏡ノーズにおける金属材の柱からプラスチック材のフックの内部にインサートされる部分は、フック固定部の前方部分とすることが好ましい。
【００２３】
本発明に係る眼鏡ノーズプラスチック材のフックは、前方に弾性固定部が設けられ、後方に挿入支持部が設けられた形態で構成される。
【００２４】
また、弾性固定部は両側が面取りされた円柱の形で、先端の中央に横方向に切欠溝が形成され、先端の直径は大きく、後端の直径は小さいテーパーを有する密着部が前方に設けられ、両側面の後方中央に回転防止リブが設けられた形態で構成される。
【００２５】
また、挿入支持部は弾性固定部の後端の直径よりも大きい直径の円柱状に形成される。
【発明の効果】
【００２６】
本発明に係る眼鏡ノーズは、堅固なプラスチック材のフックを通じて眼鏡フレームに堅固に取り付けることができるとともに、眼鏡フレームから簡単に取り外し可能になるので、破損時に修理や交換が容易になる。
【００２７】
本発明に係る眼鏡ノーズは、変形可能な金属材の柱を使用するので、眼鏡着用者の顔の構造、鼻部位の形及び好みに合うよう支持部を自由にフィットすることができる。これにより、眼鏡の商品性を向上させることができる。
【００２８】
本発明に係る眼鏡ノーズは、金属材の柱とプラスチック材のフックをインサート成形で一体に作製することによって、作製及び部品管理、組立などが容易になる。
また、不良率を大幅に低減することができ、それに応じて生産性の向上とコスト削減へのメリットがある。
【図面の簡単な説明】
【００２９】
【図１】本発明の好ましい実施形態による眼鏡ノーズの斜視図である。
【図２】本発明の好ましい実施形態による眼鏡ノーズの縦断面図である。
【図３】本発明の好ましい実施形態による眼鏡ノーズの取付状態の後方斜視図である。
【図４】本発明の好ましい実施形態による眼鏡ノーズと眼鏡フレームの後方分解斜視図である。
【図５】本発明の好ましい実施形態による眼鏡ノーズが組み立てられる眼鏡フレームの挿入溝部位の拡大斜視図である。
【図６】本発明の好ましい実施形態による眼鏡ノーズの取付状態の縦断面図である。
【発明を実施するための形態】
【００３０】
以下、本発明の好ましい実施形態による眼鏡ノーズについて、図面を参照して詳細に説明する。
【００３１】
図１は本発明の好ましい実施形態による眼鏡ノーズの斜視図、図２は本発明の好適な実施形態による眼鏡ノーズの縦断面図である。
【００３２】
図１及び図２に示すように、本発明の好ましい実施形態による眼鏡ノーズ１００は、金属材の柱１１０とプラスチック材のフック１２０を有する。金属材の柱１１０は、ステンレスなどの或る程度の柔軟性を持つ金属で作製される。金属材の柱１１０は、人為的な力を加えて強制的に変形させた場合、変形状態がそのまま保持されるとともに、弱い外部荷重に対して弾性復元力を持つようにすることが極めて好ましい。
【００３３】
金属材の柱１１０は、一定の厚さの金属板をプレスで打ち抜きして取った後、折り曲げる方法で作製される。また、小さな直径の金属棒を折り曲げて成形する方法でも作製することができる。
【００３４】
本発明の好ましい実施形態の眼鏡ノーズ１００において、金属材の柱１１０はフック固定部１１１の後方に支持部１１２が設けられた形である。つまり、金属材の柱１１０は、フック固定部１１１の後端から下部方向に支持部１１２が折り曲げて形成された形態である。また、支持部１１２の下端部にシリコン材のパッド（図示せず）を固設できるようにするパッド接続孔１１３が設けられた形態である。
【００３５】
前記金属材の柱１１０は、パッド接続孔１１３の内部上端中央にパッド接続突起１１４が設けられている。前記金属材の柱１１０は、各部位に或る程度の強い力を加えると、所望の形状に変形が行われる。また、眼鏡着用に最も好ましい形で折り曲げられて提供される。
【００３６】
従って、眼鏡着用者は、そのまま使用するか、自身の鼻部位にパッド１３０が最も楽に安着されて、かけ心地良く着用できるよう、もう少し変形させて使用すれば良い。
【００３７】
本発明の好ましい実施形態による眼鏡ノーズ１００において、プラスチック材のフック１２０は、射出成形作製される。
そして、射出成形過程で前記金属材の柱１１０の一部がフック１２０の内部にインサートされる。つまり、金属材の柱１１０とプラスチック材のフック１２０は、インサート成形（ＩＮＳＥＲＴ  ＭＯＬＤＩＮＧ）を通じて一体に作製される。
【００３８】
金属材の柱１１０において、プラスチック材のフック１２０の内部にインサートされる部分は、図２に示すように、フック固定部１１１の前方部位である。
【００３９】
本発明の好ましい実施形態による眼鏡ノーズ１００において、プラスチック材のフック１２０は、前方に弾性固定部１２１が設けられ、後方に挿入支持部１２２が設けられた形態である。
【００４０】
プラスチック材のフック１２０の弾性固定部１２１は、両側が面取りされた円柱の形態である。また、前記弾性固定部１２１は、先端の中央に横方向に切欠溝１２３が形成され、先端の直径は大きく後端の直径は小さいテーパーを有する密着部１２４が前方に設けられた形態である。
【００４１】
前記弾性固定部１２１の両側面の後方中央には回転防止リブ１２５が設けられる。前記弾性固定部１２１の後方に設けられる挿入支持部１２２は、弾性固定部１２１の後端の直径よりも大きい直径の円柱状である。
【００４２】
本発明の眼鏡ノーズ１００において、プラスチック材質のフック１２０の形状は、図示された形態に限定されず、予測可能な他の形態に変形・実施できることは言うまでもない。
【００４３】
また、本発明の眼鏡ノーズ１００において、フック１２０の材質は軽く且つ安価であり、射出成形で大量生産に有利なＴＲ（Ｔｅｔｏｒｏｎ／Ｒａｙｏｎ）を使用できるが、その他の射出成形に有利な樹脂を使用することもできる。
【００４４】
図３は本発明の好ましい実施形態による眼鏡ノーズの取付状態の後方斜視図、図４は本発明の好ましい実施形態による眼鏡ノーズと眼鏡フレームの後方分解斜視図、図５は本発明の好ましい実施形態による眼鏡ノーズが組み立てられる眼鏡フレームの挿入溝部位の拡大斜視図、図６は本発明の好ましい実施形態による眼鏡ノーズの取付状態の縦断面図である。
【００４５】
図３ないし図６のように、本発明の好ましい実施形態による眼鏡ノーズ１００は、プラスチック材の眼鏡フレーム２００に分解可能に取り付けられる。
【００４６】
図４及び図５に示すように、本発明の好ましい実施形態による眼鏡ノーズ１００が取り付けられる眼鏡フレーム２００は、一対のレンズ支持部２１０の間に設けられる連結部２２０の後面両側にプラスチック材のフック１２０が挿入されるよう挿入溝２２０ａが設けられる。
【００４７】
また、挿入溝２２０ａの内部構造は、プラスチック材のフック１２０と対応する構造となっていなければならない。つまり、眼鏡フレーム２００の連結部２２０後面両側に形成される挿入溝２２０ａは、内部前方部にプラスチック材のフック１２０の弾性固定部１２１と対応する弾性固定部２２１がが設けられる。
【００４８】
また、前記挿入溝２２０ａの内部後方部には、プラスチック材のフック１２０の挿入支持部１２２と対応する挿入支持部２２２がが設けられる。
【００４９】
また、前記挿入溝２２０ａの内部下端には、横方向にプラスチック材のフック１２０の切欠溝１２３と対応する嵌め突起２２３が設けられる。従って、眼鏡フレーム２００の挿入溝２２０ａの弾性固定部２２１は、両側が面取りされた円柱状である。
【００５０】
また、前記眼鏡フレーム２００の挿入溝２２０ａ は、先端の直径は大きく、後端の直径は小さいテーパーを有する密着部２２４が前方に設けられ、両側面の後方中央にリブ挿入溝２２５が設けられた形態である。
【００５１】
尚、眼鏡フレーム２００の挿入溝２２０ａの弾性固定部２２１の後方に設けられる挿入支持部２２２は、弾性固定部２２１の後端の直径よりも大きい直径の円柱状である。
【００５２】
本発明の好ましい実施形態による眼鏡ノーズ１００は、眼鏡フレーム２００の後方から眼鏡フレーム２００の連結部２２０に設けられた挿入溝２２０ａのプラスチック材のフック１２０を挿入するだけで簡単に眼鏡フレーム２００と組み立て可能になる。
【００５３】
図６に示すように、本発明の好ましい実施形態による眼鏡ノーズ１００と眼鏡フレーム２００の組立状態では、プラスチック材のフック１２０の切欠溝１２３が眼鏡フレームの挿入溝２２０ａの嵌め突起２２３に嵌められる。
【００５４】
また、弾性固定部１２１前方の密着部１２４が眼鏡フレームの挿入溝２２０ａの密着部２２４と堅固に密着される。
【００５５】
従って、強い外力が加わらない限り、眼鏡フレーム２００から眼鏡ノーズ１００が取り外されるおそれはない。
【００５６】
また、フック１２０の回転防止リブ１２５が眼鏡フレーム２００の挿入溝２２０ａのリブ挿入溝２２５に挿入されて＋型の結合が行われる。従って、フック１２０及び金属材の柱１１０が左右方向に回転されるおそれがなく、堅固な組立状態を保持することができる。
【００５７】
一方、組立状態の眼鏡ノーズ１００を分解しようとする時は、プラスチック材のフック１２０の後方に一体に設けられた金属材の柱１１０を把持して眼鏡フレーム２００の後方に精一杯引っ張れば良い。これにより、眼鏡フレーム２００の挿入溝２２０ａからプラスチック材のフック１２０が引き出されるので、眼鏡フレーム２００から眼鏡ノーズ１００を簡単に分解することができる。
【００５８】
眼鏡ノーズ１００の分解過程において、プラスチック材のフック１２０が眼鏡フレーム２００のの挿入溝２２０ａから引き出される時には、プラスチック材のフック１２０の密着部１２４の上部と下部が切欠溝１２３寄りに窄まりながら眼鏡フレームの挿入溝２２０ａの密着部２２４を抜け出すようになる。
【００５９】
このように、本発明の好ましい実施形態による眼鏡ノーズ１００は、眼鏡フレーム２００と簡単に組み立てたり、取り外したりできるので、破損時に簡単に修理したり入れ替えたりするのが可能になる。
【００６０】
また、様々なデザインの眼鏡ノーズ１００を保有している場合、眼鏡フレーム２００に合わせて入替使用したり、着用者の心理状態、好みなどに合わせて入替使用することによって、着用者の個性を表現できるようになる。
【００６１】
本発明の好ましい実施形態による眼鏡ノーズ１００は、変形のないプラスチック材のフック１２０を通じて眼鏡フレーム２００と堅固に結合できるとともに、金属材の柱１１０を変形させることができる。
【００６２】
従って、着用者が自身の顔の構造、鼻部位の形や好みに合わせて最もかけ心地良く着用できるよう支持部１１２をフィットすることができる。
【００６３】
以上、本発明者によってなされた発明を、上記実施形態に基づいて詳細に説明したが、本発明は前記実施形態に限定されるのではなく、その要旨を外さない範囲で様々に変更可能なのは言うまでもない。
【符号の説明】
【００６４】
１００  眼鏡ノーズ
１１０  金属材の柱
１１１  フック固定部
１１２  支持部
１２０  プラスチック材のフック
２００  眼鏡フレーム
【図１】
2015203722.tif 000003
【図２】
2015203722.tif 000004
【図３】
2015203722.tif 000005
【図４】
2015203722.tif 000006
【図５】
2015203722.tif 000007
【図６】
2015203722.tif 000008